(57)【特許請求の範囲】
【請求項１】
フレームを輝度の重み付けをした複数のサブフレームに置き換え、サブフレーム単位でセルの発光の有無を設定することにより階調表示を行うＰＤＰの駆動方法であって、
前記サブフレームごとに割り当てるサブフレーム期間の１フレーム分の総和がフレーム周期より短いフレームにおいて、
前記ＰＤＰの表面温度が設定値以下の場合に、前記フレーム周期と前記総和との差である空き時間を１つの駆動停止期間としてフレーム期間内に設け、
前記表面温度が前記設定値より高い場合に、前記空き時間を前記複数のサブフレームに対応した複数の駆動停止期間に分割し、サブフレームごとに割り当てた複数のサブフレーム期間のそれぞれの後に一つの駆動停止期間を設ける
ことを特徴とするＰＤＰの駆動方法。
【請求項２】
輝度の重みの最も大きいサブフレーム期間の後に設ける駆動停止期間を最も長くする
請求項１記載のＰＤＰの駆動方法。
【請求項３】
ＡＣ型ＰＤＰとそれを駆動する駆動装置とを備える表示装置であって、
前記駆動装置は、
１フレームを輝度の重み付けをした複数のサブフレームに置き換えて、サブフレーム単位でセルの発光の有無を制御することにより階調表示を実現し、
前記サブフレームごとに割り当てるサブフレーム期間の１フレーム分の総和がフレーム周期より短いフレームにおいて、
前記ＡＣ型ＰＤＰの表面温度が設定値より低い場合には、前記フレーム周期と前記総和との差である空き時間を１つの駆動停止期間としてフレーム期間内に設け、
前記表面温度が前記設定値より高い場合には、前記空き時間を前記複数のサブフレームに対応した複数の駆動停止期間に分割し、サブフレームごとに割り当てた複数のサブフレーム期間のそれぞれの後に一つの駆動停止期間を設ける
ことを特徴とする表示装置。
【請求項４】
輝度の重みの最も大きいサブフレーム期間の後に設ける前記分割駆動停止期間を最も長くする請求項３記載の表示装置。
【請求項５】
フレームを輝度の重み付けをした複数のサブフレームに置き換え、サブフレーム単位でセルの発光の有無を設定することにより階調表示を行うＰＤＰの駆動方法であって、
１フレームごとに表示負荷率を検出し、前記ＰＤＰの表面温度にかかわらず、前記表示負荷率が第１の設定値を超え、前記第１の設定値より大きい第２の設定値以下の範囲において、前記表示負荷率の増減に応じて表示パルス数を減増させる自動電力制御を行い、前記表示負荷率が前記第１の設定値以下の範囲においては、前記表示パルス数を予め設定された数とし、前記表示負荷率が前記第２の設定値を超える範囲においては、前記表示パルス数を前記表示負荷率が前記第２の設定値である場合と同じ数とし、
前記表示負荷率が前記第２の設定値を超え、且つ、前記表面温度が設定温度より高い場合にのみ、前記表示パルス数を前記表示負荷率が前記第２の設定値である場合と同じ数とすると共に、前記表示負荷率の増減に応じてフレームの階調を減増するゲイン調整を行う
ことを特徴とするＰＤＰの駆動方法。
【請求項６】
前記ゲイン調整により、少なくとも１つのサブフレームを非点灯とする請求項５記載のＰＤＰの駆動方法。
【請求項７】
フレームを輝度の重み付けをした複数のサブフレームに置き換え、サブフレーム単位でセルの発光の有無を制御することにより階調表示を実現するＰＤＰの駆動装置であって、
１フレームごとに表示負荷率を検出する表示負荷率検出回路と、
前記ＰＤＰの表面温度を検出する温度検出回路と、
前記表面温度にかかわらず、前記表示負荷率が第１の設定値を超え、前記第１の設定値より大きい第２の設定値以下の範囲において、前記表示負荷率の増減に応じて表示パルス数を減増させる自動電力制御を行い、前記表示負荷率が前記第１の設定値以下の範囲においては、前記表示パルス数を予め設定された数とし、前記表示負荷率が前記第２の設定値を超える範囲においては、前記表示パルス数を前記表示負荷率が前記第２の設定値である場合と同じ数とする制御回路と、
フレームの階調を減増するゲイン調整回路とを有し、
前記表示負荷率が前記第２の設定値を超え、且つ、前記表面温度が設定温度より高い場合にのみ、前記表示パルス数を前記表示負荷率が前記第２の設定値である場合と同じ数とすると共に、前記表示負荷率の増減に応じてフレームの階調を減増するゲイン調整を行う
ことを特徴とするＰＤＰの駆動装置。
【請求項８】
ＡＣ型ＰＤＰとそれを駆動する駆動装置とを備え、
前記駆動装置は、
１フレームごとに表示負荷率を検出する表示負荷率検出回路と、
前記ＰＤＰの表面温度を検出する温度検出回路と、
前記表面温度にかかわらず、前記表示負荷率が第１の設定値を超え、前記第１の設定値より大きい第２の設定値以下の範囲において、前記表示負荷率の増減に応じて表示パルス数を減増させる自動電力制御を行い、前記表示負荷率が前記第１の設定値以下の範囲においては、前記表示パルス数を予め設定された数とし、前記表示負荷率が前記第２の設定値を超える範囲においては、前記表示パルス数を前記表示負荷率が前記第２の設定値である場合と同じ数とする制御回路と、
フレームの階調を減増するゲイン調整回路とを有し、
前記表示負荷率が第２の設定値を超え、且つ、前記表面温度が設定温度より高い場合にのみ、前記表示パルス数を前記表示負荷率が前記第２の設定値である場合と同じ数とすると共に、前記表示負荷率の増減に応じてフレームの階調を減増するゲイン調整を行う
ことを特徴とする表示装置。
【発明の詳細な説明】
【０００１】
【発明の属する技術分野】
本発明は、ＡＣ型ＰＤＰの駆動方法および駆動装置に関する。
ＰＤＰ（Plasma Display Panel：プラズマディスプレイパネル）は、カラー画面の実用化を機にテレビジョン映像やコンピュータのモニタなどの用途で広く用いられるようになってきた。普及にともなって使用環境が多様化し、温度変化や電源電圧の変動に影響されない安定した表示を実現する駆動方法が求められている。
【０００２】
【従来の技術】
カラー表示デバイスとして、面放電形式のＡＣ型ＰＤＰが商品化されている。ここでいう面放電形式は、輝度を確保する表示放電において陽極および陰極となる表示電極（第１電極および第２電極）を、前面側または背面側の基板の上に平行に配列し、表示電極対と交差するようにアドレス電極（第３電極）を配列する形式である。表示電極の配列には、マトリクス表示の行毎に１対ずつ配列する形態と、第１および第２の表示電極を交互に等間隔に配列する形態とがある。後者の場合、配列の両端を除く表示電極は隣接する２行の表示に係わる。配列形態に係わらず、表示電極対は誘電体で被覆される。
【０００３】
面放電形式のＰＤＰの表示においては、各行に対応づけられた表示電極対の一方（第２電極）を行選択のためのスキャン電極として用い、スキャン電極とアドレス電極との間でのアドレス放電と、それをトリガーとした表示電極間のアドレス放電とを生じさせることによって、表示内容に応じて誘電体の帯電量（壁電荷量）を制御するアドレッシングが行われる。アドレッシングの後、表示電極対に交番極性の維持電圧Ｖｓを印加する。維持電圧Ｖｓは（１）式を満たす。
【０００４】
ＶｆXY−ＶｗXY＜Ｖｓ＜ＶｆXY  …（１）
ＶｆXY：表示電極間の放電開始電圧
ＶｗXY：表示電極間の壁電圧
維持電圧Ｖｓの印加により、所定量の壁電荷の存在するセルのみでセル電圧（電極に印加する駆動電圧と壁電圧との和）が放電開始電圧ＶｆXYを越えて基板面に沿った面放電が生じる。印加周期を短くすると、視覚的に発光が連続する。
【０００５】
ＰＤＰの放電セルは基本的には２値発光素子である。したがって、中間調はフレーム期間における個々の放電セルの積分発光量を入力画像データの階調値に応じて設定することによって再現される。カラー表示は階調表示の一種であって、表示色は３原色の輝度の組合せによって決まる。階調表示には、１フレームを輝度の重み付けをした複数のサブフレーム（インタレース表示の場合はサブフィールド）で構成し、サブフレーム単位の発光（点灯）の有無の組合せによって積分発光量を設定する方法が用いられる。
【０００６】
図１２は駆動シーケンスの概要を示す電圧波形図である。図示において、符号Ｘ，Ｙ，Ａは順に第１の表示電極、第２の表示電極、アドレス電極を表し、Ｘ，Ｙに添えた文字１〜ｎは表示電極Ｘ，Ｙに対応する行の配列順位を示し、Ａに添えた文字１〜ｍはアドレス電極Ａに対応する列の配列順位を示す。
【０００７】
各サブフレームに割り当てるサブフレーム期間Ｔｓｆは、画面の帯電分布を一様化するリセット期間ＴＲ、スキャンパルスＰｙおよびアドレスパルスＰａの印加によって表示内容に応じた帯電分布を形成するアドレス期間ＴＡ、および表示パルスＰｓの印加によって階調値に応じた輝度を確保するサステイン期間 (表示期間ともいう）ＴＳに大別される。リセット期間ＴＲおよびアドレス期間ＴＡの長さは輝度の重みに係わらず一定であるが、サステイン期間ＴＳの長さは輝度の重みが大きいほど長い。図示の波形は一例であり、振幅・極性・タイミングを種々変更することが可能である。
【０００８】
リセット期間ＴＲにおいて、全て表示電極Ｘに書き込みパルスＰｒｘを印加して全面放電を生じさせ、 印加の終了に伴う自己消去放電によって壁電荷を消失させる。アドレス電極Ａには不要の放電を防止するためにパルスＰｒａを印加する。なお、帯電分布の一様化には、ランプ波形パルスを印加して電荷量を制御する手法もある。アドレス期間ＴＡでは、開始時点で全ての表示電極Ｙを非選択電位Ｖｙａ２にバイアスした後、選択行ｉ（１≦ｉ≦ｎ）に対応した表示電極Ｙを一時的に選択電位Ｖｙａ１にバイアスする（スキャンパルスの印加）。行選択に同期して、選択行のうちのアドレス放電を生じさせる選択セルが属する列のみ、アドレス電極Ａを選択電位Ｖａａにバイアスする（アドレスパルスの印加）。非選択セルが属する列のアドレス電極Ａについては接地電位（通常、０ボルト）にする。そして、表示電極Ｘについては、選択行と非選択行とに係わらず、アドレッシングの開始から終了まで一定の電位Ｖｘａにバイアスする。サステイン期間ＴＳでは、振幅Ｖｓの表示パルスＰｓを表示電極Ｙと表示電極Ｘとに交互に印加する。印加回数は輝度の重みにほぼ比例する。
【０００９】
【発明が解決しようとする課題】
ＰＤＰにおいては、内部の帯電特性が動作温度に依存し、表示パターンによってセル間で帯電状態に差異が生じる。このことから、従来の駆動方法では、アドレス電極Ａと表示電極Ｙとの電極間ＡＹにおける帯電の過不足に起因したアドレッシングの誤りが起こり易いという問題があった。以下、この問題を説明する。
【００１０】
図１３は従来におけるアドレス期間のセル電圧の変化を示す波形図である。図中の太い実線はセル電圧（印加電圧と壁電圧の和）の適正な変化を示し、鎖線はセル電圧の不適正な変化を示す。
【００１１】
ここでは選択順位ｊの行におけるｋ番目の列のセルに注目する。注目行が選択行となる以前であって、選択行が１〜ｉ（ｉ＜ｊ）番目の行である期間に、ｋ番目の列に対応したアドレス電極Ａがアドレス電位Ｖａａにバイアスされる場合、すなわち行１から行ｉまでの列ｋの表示データＤ1,k 〜Ｄi,k が選択データである表示パターンを想定する。アドレス期間ＴＡの開始時点における電極間ＸＹの壁電圧をＶｗｘｙ１とし、電極間ＡＹの壁電圧をＶｗａｙ１とする。
【００１２】
動作温度が比較的に低いときには、注目行が選択行となる以前の段階において、壁電圧はほぼ初期値のまま変化しない。したがって、注目行が選択行となって表示電極Ｙj が選択電位Ｖｙａ１にバイアスされ、かつアドレス電極Ａk がアドレス電位Ｖａａにバイアスされると、電極間ＡＹのセル電圧（Ｖｗａｙ１＋Ｖａａ−Ｖｙａ１）が放電閾値ＶｆAYを超えてアドレス放電が起こる。アドレス放電によって電極間ＡＹおよび電極間ＸＹの両方の壁電圧が変化し、後続のサステイン期間の動作に適した電荷状態が形成される。アドレス放電によって電極間ＸＹに壁電圧Ｖｗｘｙ２が生じ、電極間ＡＹに壁電圧Ｖｗａｙ２が生じる。
【００１３】
注目行が選択行となる以前では、アドレス電極Ａk がアドレス電位Ｖａａにバイアスされたとしても、注目行の電極間ＡＹのセル電圧は放電開始閾値ＶｆAYよりも低いので、放電は起こらないはずである。しかし、環境温度が上昇したり、表示に伴う発熱が蓄積したりしてセル温度が常温より高くなるにつれて、電極間ＡＹのセル電圧と放電開始閾値ＶｆAYとが近づくので、セル電圧がＶｆAY以下であっても、極めて微小な放電が生じて電極間ＡＹの壁電圧が変化してしまう。残留していた微量の空間電荷の影響で壁電圧が変化する場合もある。この壁電圧の変化に起因して、注目行が選択行となった時点での電極間ＡＹのセル電圧が通常よりも低くなり、アドレス放電強度（放電による壁電圧の変化量）が小さくなる。したがって、アドレス放電時に電極間ＡＹの壁電圧の変化と同時に起こるはずの電極間ＸＹの壁電圧変化の量も小さいものとなる。この場合、点灯すべきセルの電極間ＸＹの壁電圧（Ｖｗｘｙ２' ）が不十分であるので、以後のサステイン期間で点灯ミスが生じて表示が乱れる。
【００１４】
このような意図しない壁電圧の変化を抑えるには、表示電極Ｙの非選択電位Ｖｙａ２とアドレス電極Ａのアドレス電位Ｖａａとの差を小さくすればよい。しかし、電極間ＡＹでのアドレス放電の強度を確保するために、選択電位Ｖｙａ１とアドレス電位Ｖａａとの差を十分に大きい値に設定しなければならない。したがって、非選択電位Ｖｙａ２とアドレス電位Ｖａａとの差を小さくし、非選択電位をアドレス電位に近づけることは、表示電極Ｙの選択電位Ｖｙａ１と非選択電位Ｖｙａ２との差を拡大することを意味し、スキャン回路部品の耐電圧の増大を要求する。アドレス期間においては、スキャンドライバと呼称される集積回路部品の電源端子間に、選択電位Ｖｙａ１と非選択電位Ｖｙａ２との差に相当する電圧が加わる。これに耐える仕様のスキャンドライバを使用しなければならない。集積回路の耐圧の増大は、部品価格の大幅な上昇を招く。
【００１５】
本発明は、回路部品の耐電圧を増大することなく、動作環境の変化の影響が小さいアドレッシングを実現し、表示の安定を図ることを目的としている。
【００１６】
【課題を解決するための手段】
本発明においては、少なくとも１つのサブフレーム期間とその次のサブフレーム期間との間に、パルス印加および電極バイアスの切換えを行わない駆動停止期間を意図的に設ける。意図的とは、駆動停止期間の長さが１００μｓ以上、好ましくは２００μｓ以上であって、一般に設定されるμｓオーダのパルス間隔と比べて十分に長いことを意味する。フレーム期間の一部を駆動停止期間とする形態には、少なくとも１つのサブフレームを強制的に非発光とする発光制御が含まれる。非発光のサブフレームでは、表示放電を生じさせないので、少なくともサステイン期間は実質的に駆動停止期間となる。さらに、点灯すべきセルの壁電圧を上昇させる書き込みアドレス形式の場合には、アドレス期間も実質的に駆動停止期間となる。駆動停止期間を設けることによって表示の乱れを低減することができる。その理由は次のとおりである。
【００１７】
アドレッシングが正しく行われないことによる表示の乱れが顕著に現れるのは以下の (１) 〜 (３) の条件のときであることが実験により確認できた。
（１）パネル表面が高温であるとき
（２）表示負荷率が１００％またはそれに近いとき
（３）カラー表示において、Ｒ，Ｇ，Ｂのいずれかの色についての表示負荷率が１００％またはそれに近いとき
ここで、表示負荷率とは、表示対象の画像データが示す階調値の１画面分の総和に依存する数値であり、１フレームにおけるセルｉの階調値をＤｉ（０≦Ｄｉ≦Ｄｍａｘ）としたときの比率Ｄｉ／Ｄｍａｘの全セルにわたる平均値として定義される。
【００１８】
また、以下の (４) 〜 (６) の事実が実験により判明した。
（４）輝度の重みが大きいサブフレームの次のサブフレームで点灯ミスが起こり易い。
（５）輝度の重みに係らずいずれのサブフレームでも点灯ミスが同様に起こる。
（６）点灯ミスの起こったサブフレームの輝度の重みが大きいほど、点灯ミスが表示ムラとして画質に大きく影響する。
【００１９】
（４）については、あるサブフレームの輝度の重みが大きいとき（表示パルス数が多いとき）には、その次のサブフレームに係るアドレス期間での電極間ＡＹの壁電圧変動量ΔＶｗａｙが大きくなるという関係がある。この関係の具体例を図１に示す。
【００２０】
（１）〜（６）を踏まえて問題解決を模索したところ、次の（７）および（８）の事実が判明した。
（７）セルを点灯させるサブフレームの表示が終了して、次のサブフレームのアドレッシングに移るまでの間に駆動停止期間を設け、その期間長（つまり、インターバル時間）を長くするほど、次サブフレームにおける電極間ＡＹの壁電圧変動量ΔＶｗａｙが減少し、点灯ミスが起こりにくくなる。
（８）セルを点灯させるサブフレームの次のサブフレームが非点灯であれば、さらに次のサブフレームでは点灯ミスが起こりにくく、上述のインターバル時間を長くするのと同様の効果がある。インターバル時間と壁電圧変動量ΔＶｗａｙとの関係の具体例を図２に示す。この例では、インターバル時間を５００μｓとすればΔＶｗａｙを１０ボルト以下に低減することができ、より長い１０００μｓとすればΔＶｗａｙを１ボルト程度にまで低減することができる。
【００２１】
以上のように駆動休止期間を設けることは表示の安定に有効である。しかし、フルモーション表示のフレーム周期は約１６．７ｍｓの固定値であるので、フレーム期間の一部を駆動停止期間に割り当てることによって、サブフレームに割り当て可能な時間が減少する。表示パルス数を減らせば輝度が低下し、サブフレーム数を減らせば階調品位が低下する。したがって、点灯ミスが起こりやすい動作条件のとき、すなわち表示負荷が大きいときに限定して駆動停止期間を設けるのが実用に適している。なお、概して表示負荷が大きいときはパネル表面温度が高い。
【００２２】
一般に、ＰＤＰの駆動においては、消費電力を抑えるために表示負荷の増大に対応して表示パルス数を減らす自動電力制御（Auto Power Control:APC）が行われる。ＡＰＣを行うと、表示負荷が大きいときにはサステイン期間が短縮されるので、サブフレーム期間の総和がフレーム期間より短くなって、その差の分の空き時間が生れる。
【００２３】
ＡＰＣで生れた空き時間を分割して、フレーム期間内に分散配置することにより、点灯ミスを効果的に低減することができる。上述の（４）の事実に注目すると、輝度の重みが大きいサブフレームの直後に駆動停止期間を設けるのが好ましい。（６）の事実に注目すると、輝度の重みが大きいサブフレームの直前に駆動停止期間を設けるのが好ましい。どちらにしても駆動停止期間の前後のサブフレームの輝度重みの関係でインターバル時間の最適長さが決まるので、その最適長より長い空き時間がある場合には、１つの駆動停止期間を必要以上に長くせずに、複数の駆動停止期間に空き時間を割り振るのが望ましい。
【００２４】
【発明の実施の形態】
〔第１実施形態〕
図３は第１実施形態の表示装置の構成図である。表示装置１００は、ｍ列ｎ行の画面をもつ面放電型のＰＤＰ１と、縦横に並ぶセルを選択的に発光させるためのドライブユニット６０とから構成されており、壁掛け式テレビジョン受像機、コンピュータシステムのモニターなどとして利用される。
【００２５】
ＰＤＰ１では、表示放電を生じさせるための表示電極Ｘ，Ｙが平行配置され、これら電極群と交差するようにアドレス電極Ａが配列されている。表示電極Ｘ，Ｙは画面の行方向（水平方向）に延び、表示電極Ｙはアドレッシングに際して行選択のためのスキャン電極として用いられる。アドレス電極Ａは列方向（垂直方向）に延びており、列選択のためのデータ電極として用いられる。
【００２６】
ドライブユニット６０の基本機能は、ドライバ制御回路６１、フレームメモリ６２、データ変換回路６３、電源回路６４、Ｘドライバ６６、Ｙドライバ６７、Ａドライバ６８、および表示負荷率検出回路６９によって実現される。ドライブユニット６０にはＴＶチューナ、コンピュータなどの外部装置からＲ，Ｇ，Ｂの３色の輝度レベルを示すフレームデータＤｆが、同期信号ＶＳＹＮＣ，ＨＳＹＮＣとともに入力される。フレームデータＤｆは、フレームメモリ７１１を介してデータ変換回路６３に送られ、階調表示のためのサブフレームデータＤｓｆに変換される。サブフレームデータＤｓｆは１セル当たり１ビットの表示データの集合であって、その各ビットの値は該当する１つのサブフレームにおけるセルの発光の有無、厳密にはアドレス放電の要否を示す。なお、インタレース表示の場合には、フレームを構成する複数のフィールドのそれぞれが複数のサブフィールドで構成され、サブフィールド単位の発光制御が行われる。ただし、発光制御の内容はプログレッシブ表示の場合と同様である。Ｘドライバ６６はｎ本の表示電極Ｘの電位を制御し、Ｙドライバ６７はｎ本の表示電極Ｙの電位を制御する。Ａドライバ６８は、データ変換回路６３からのサブフレームデータＤｓｆに基づいて、計ｍ本のアドレス電極Ａの電位を制御する。これらドライバにはドライバ制御回路６１から制御信号が入力され、電源回路６４から所定の電力が供給される。表示負荷率検出回路６９は、フレームデータＤｆを参照してフレームごとに表示負荷率を計算する。表示負荷率はドライバ制御回路６１によるＡＰＣ（自動電力制御）に用いられる。
【００２７】
また、ドライブユニット６０には、本発明に特有の構成要素として、インターバル設定回路７１、およびタイミング調整回路７が組み込まれている。インターバル設定回路７１は、センサ７５により検出したパネル表面温度が設定値よりも高いとき、表示負荷率に応じてサブフレーム期間ごとにその直後のインターバル時間を決定する。複数のサブフレーム期間のうちのいずれかについてはインターバル時間が零になる場合もある。インターバル時間が零でなければ、サブフレーム期間どうしの間に駆動停止期間が挿入されることになる。駆動停止期間の挿入によって以降のサブフレーム期間が順繰りに遅れる。タイミング調整回路７２は、各サブフレーム期間の終了からインターバル時間の計時を始め、後続のサブフレーム期間の開始時期をドライバ制御回路６１に知らせる。それを受けて、ドライバ制御回路６１は１つのサブフレームの表示に係るシーケンス動作をする (図１２参照）。
【００２８】
図４は本発明に係るＰＤＰのセル構造を示す図である。ＰＤＰ１は一対の基板構体（基板上に放電セルの構成要素を設けた構造体）１０，２０からなる。表示面ＥＳを構成するセルにおいて、表示電極Ｘ，Ｙとアドレス電極Ａとが交差する。表示電極Ｘ，Ｙは、前面側のガラス基板１１の内面に配列されており、それぞれが面放電ギャップを形成する透明導電膜４１と行の全長にわたって延びる金属膜（バス電極）４２とからなる。表示電極対を被覆するように厚さ３０〜５０μｍ程度の誘電体層１７が設けられ、誘電体層１７の表面には保護膜１８としてマグネシア（ＭｇＯ）が被着されている。アドレス電極Ａは、背面側のガラス基板２１の内面に配列されており、誘電体層２４によって被覆されている。誘電体層２４の上には、高さ１５０μｍ程度の帯状の隔壁２９が各アドレス電極Ａの間に１つずつ設けられている。これらの隔壁２９によって放電空間が行方向に列毎に区画されている。放電空間のうちの各列に対応した列空間３１は全ての行に跨がって連続している。そして、アドレス電極Ａの上方および隔壁２９の側面を含めて背面側の内面を被覆するように、カラー表示のためのＲ，Ｇ，Ｂの３色の蛍光体層２８Ｒ，２８Ｇ，２８Ｂが設けられている。図中の斜体アルファベットＲ，Ｇ，Ｂは蛍光体の発光色を示す。蛍光体層２８Ｒ，２８Ｇ，２８Ｂは放電ガスが放つ紫外線によって局部的に励起されて発光する。
【００２９】
以下、表示装置１００におけるＰＤＰ１の駆動方法を説明する。
図５は自動電力制御の特性を示すグラフである。
表示負荷率が２０％を超えると自動電力制御機能が働き、表示負荷率の増大につれて表示パルス数が減少する。表示負荷率が１００％のときの表示パルス数は２０％以下のときの半分となる。
【００３０】
図６は第１実施形態に係る期間設定を示す図である。
本例では、１つのフレームを８つのサブフレームで構成する。図中に斜体数字で示すように、これらサブフレームの輝度重みは順に３２，１６，８，１，２，４，１６，３２である。各サブフレームにはリセット期間ＴＲ、アドレス期間ＴＡ、およびサステイン期間ＴＳを割り当てる。サステイン期間ＴＳの長さは輝度重みによって異なる。
【００３１】
表示負荷率が２０％以下のとき、フレーム期間Ｔｆ（約１６．７ｍｓ）から計８回の初期化およびアドレッシングに必要な時間（例えば１．２ｍｓ×８）を差し引いた残りの時間 (例えば７．１ｍｓ）の全てを、輝度重みに応じて８つのサブフレームに振り分ける。すなわち、表示パルス数を最大とする。このとき、８つのサブフレーム期間Ｔ１，Ｔ２，Ｔ３，Ｔ４，Ｔ５，Ｔ６，Ｔ７，Ｔ８の合計はフレーム期間Ｔｆと実質的に等しい (図中の（Ａ）の状態）。
【００３２】
表示負荷率が２０％を超えると、上述のとおり自動電力制御機能が表示パルス数を減らす。これにより、各サブフレームのサステイン期間ＴＳが短縮され、８つのサブフレーム期間Ｔ１’，Ｔ２’，Ｔ３’，Ｔ４’，Ｔ５’，Ｔ６’，Ｔ７’，Ｔ８’の合計はフレーム期間Ｔｆよりも短くなる。パネル表面温度が設定値より低いときには、サブフレーム期間どうしの間に駆動停止期間は設けられず、図中の（Ｂ）のように最終のサブフレーム期間Ｔ８’の後に空き期間Ｔｉ０（例えば３．５ｍｓ）が生じる。これに対して、パネル表面温度が設定値より高いときには、図中の（Ｃ）のように各サブフレーム期間の後に駆動停止期間Ｔｉ１，Ｔｉ２，Ｔｉ３，Ｔｉ４，Ｔｉ５，Ｔｉ６，Ｔｉ７，Ｔｉ８が設けられる。ここで、駆動停止期間の長さ（インターバル時間ｔｉ）の設定において、輝度重みの大きいサブフレームの直後および直前に他より長いインターバル時間を設けるという重み付けが行なわれる。例示では、サブフレーム期間Ｔ１’とサブフレーム期間Ｔ２’との間、およびサブフレーム期間Ｔ８’と次のフレームのサブフレーム期間Ｔ１’の間に長い駆動停止期間Ｔｉ１，Ｔｉ８が設けられている。
【００３３】
図７はインターバル時間の長さとその効果との関係を示すグラフである。
インターバル期間ｔｉが長いほどΔＶｗａｙが小さくなる。図７において、例えばΔＶｗａｙを５ボルト以下にすればアドレス放電ミスを防ぐことができるとすると、表示パルス数１６のサブフレームの後にはインターバル時間２００μｓを設け、表示パルス数３２のサブフレームの後にはインターバル時間５００μｓを設ければ、後続のサブフレームのアドレス期間においてΔＶｗａｙが５ボルト以下となることが判る。
【００３４】
〔第２実施形態〕
図８は第２実施形態の表示装置の構成図である。同図において上述の例と同じ機能をもつ構成要素には図３と同じ参照符号を付してある。
【００３５】
表示装置１００ｂは、面放電型のＰＤＰ１とそれを駆動するドライブユニット６０ｂとから構成されている。ドライブユニット６０ｂの基本機能は、ドライバ制御回路６１ｂ、フレームメモリ６２、データ変換回路６３ｂ、電源回路６４、Ｘドライバ６６、Ｙドライバ６７、Ａドライバ６８、および表示負荷率検出回路６９によって実現される。表示負荷率検出回路６９は、フレームデータＤｆを参照してフレームごとに表示負荷率を計算する。表示負荷率はドライバ制御回路６１ｂによるＡＰＣ（自動電力制御）に用いられる。また、ドライブユニット６０ｂには、本発明に特有の構成要素として、ゲイン調整回路７３が組み込まれている。ゲイン調整回路７３は、センサ７５により検出したパネル表面温度が設定値よりも高いとき、表示負荷率に応じてフレームの階調値を変更するゲイン調整を行う。
【００３６】
図９は自動電力制御の特性を示すグラフである。
第２実施形態では、表示負荷率が第１の設定値Ｒ０ (例えば２０％）を超えると自動電力制御機能が働き、第１の設定値Ｒ０から第２の設定値Ｒ１ (例えば７０％）までの範囲における表示負荷率の増減に応じて表示パルス数が減増する。表示負荷率が設定値Ｒ０以下のときおよび設定値Ｒ１を超えるときには、表示パルス数は変更されない。
【００３７】
図１０はゲイン調整の特性を示すグラフである。
表示負荷率が設定値Ｒ１以下のときには、フレームデータＤｆが表す階調をそのまま表すサブフレームデータＤｓｆが生成される。すなわち、ゲインは１である。表示負荷率が設定値Ｒ１を超える値のときに、表示負荷率が大きいほど階調を下げるゲイン調整が行われる。これにより少なくとも１つのサブフレームが強制的に非点灯となり、実質的に駆動停止期間が生じる。したがって、自動電力制御と同等の電力低減が行われるとともに、アドレス期間の壁電圧の変化を防止することができる。図の例では、例えば表示負荷率１００％のときは、フレームデータＤｆの階調値にゲイン０．７を乗じた階調値を表示するサブフレームデータＤｓｆがデータ変換回路６３ｂから出力される。このとき、仮に全てのサブフレームが点灯したとき表示パルス数を１１１（＝１＋２＋４＋８＋１６＋１６＋３２＋３２）であったとすると、ゲイン０．７を乗じる場合の表示パルス数は７８となり、３３（＝１１１−７８）パルス分を消灯すればよいので、図１１の様に表示パルス数１６のサブフレーム２箇所が駆動停止期間Ｔｉ２’，Ｔｉ７’となり、この部分がインターバルを空けた効果をもたらす。
【００３８】
以上の第１および第２の実施形態において、パネル表面温度の監視を省略し、表示負荷率に応じて駆動停止期間を設けるようにしてもよい。消費電力を検出して駆動停止期間を設けるか否かを決定してもよい。
【００３９】
第１および第２の実施形態によれば、空き時間となっていた期間を利用するので、サブフレーム数、表示パルス数、およびアドレス時間を従来どおりとして仕様を確保しつつ、表示を安定化することができる。
【００４０】
（付記１）
フレームを輝度の重み付けをした複数のサブフレームに置き換え、サブフレーム単位でセルの発光の有無を設定することにより階調表示を行うＰＤＰの駆動方法であって、
表示負荷が設定値を超えるときのみ、サブフレームごとに割り当てた複数のサブフレーム期間のうちの少なくとも１つとその次のサブフレーム期間との間に駆動停止期間を設ける
ことを特徴とするＰＤＰの駆動方法。
【００４１】
（付記２）
輝度の重みの最も大きいサブフレーム期間の直後に駆動停止期間を設ける
付記１記載のＰＤＰの駆動方法。
【００４２】
（付記３）
輝度の重みの最も大きいサブフレーム期間の直前に駆動停止期間を設ける
付記１記載のＰＤＰの駆動方法。
【００４３】
（付記４）
パネル表面温度が設定値を超えるときのみ、サブフレーム期間どうしの間に駆動停止期間を設ける
付記１記載のＰＤＰの駆動方法。
【００４４】
（付記５）
フレームを輝度の重み付けをした複数のサブフレームに置き換え、サブフレーム単位でセルの発光の有無を制御することにより階調表示を実現するＰＤＰの駆動装置であって、
表示負荷が設定値を超えるときのみ、サブフレームごとに割り当てた複数のサブフレーム期間のうちの少なくとも１つとその次のサブフレーム期間との間に駆動停止期間を設ける
ことを特徴とするＰＤＰの駆動装置。
【００４５】
（付記６）
ＡＣ型ＰＤＰとそれを駆動する駆動装置とを備え、
前記駆動装置は、フレームを輝度の重み付けをした複数のサブフレームに置き換えて、サブフレーム単位でセルの発光の有無を制御することにより階調表示を実現し、表示負荷が設定値を超えるときのみ、サブフレームごとに割り当てた複数のサブフレーム期間のうちの少なくとも１つとその次のサブフレーム期間との間に駆動停止期間を設ける
ことを特徴とする表示装置。
【００４６】
（付記７）
フレームを輝度の重み付けをした３以上のサブフレームに置き換え、サブフレーム単位でセルの発光の有無を設定することにより階調表示を行うＰＤＰの駆動方法であって、
サブフレームごとに割り当てるサブフレーム期間の１フレーム分の総和がフレーム周期より短いフレームにおいて、当該フレームにおける輝度の重み配列に応じて長さの重み付けをした複数の駆動停止期間を設け、前記フレーム周期と前記総和との差である空き時間を前記複数の駆動停止期間に長さの重みに応じて割り振る
ことを特徴とするＰＤＰの駆動方法。
【００４７】
（付記８）
輝度の重みの大きい順に選択した２以上のサブフレーム期間のそれぞれの直後に駆動停止期間を設ける
付記７記載のＰＤＰの駆動方法。
【００４８】
（付記９）
輝度の重みの大きい順に選択した２以上のサブフレーム期間のそれぞれの直前に駆動停止期間を設ける
付記７記載のＰＤＰの駆動方法。
【００４９】
（付記１０）
フレームを輝度の重み付けをした３以上のサブフレームに置き換え、サブフレーム単位でセルの発光の有無を制御することにより階調表示を実現するＰＤＰの駆動装置であって、
サブフレームごとに割り当てるサブフレーム期間の１フレーム分の総和がフレーム周期より短いフレームにおいて、当該フレームにおける輝度の重み配列に応じて長さの重み付けをした複数の駆動停止期間を設け、前記フレーム周期と前記総和との差である空き時間を前記複数の駆動停止期間に長さの重みに応じて割り振る
ことを特徴とするＰＤＰの駆動装置。
【００５０】
（付記１１）
ＡＣ型ＰＤＰとそれを駆動する駆動装置とを備え、
前記駆動装置は、フレームを輝度の重み付けをした３以上のサブフレームに置き換えて、サブフレーム単位でセルの発光の有無を制御することにより階調表示を実現し、サブフレームごとに割り当てるサブフレーム期間の１フレーム分の総和がフレーム周期より短いフレームにおいて、当該フレームにおける輝度の重み配列に応じて長さの重み付けをした複数の駆動停止期間を設け、前記フレーム周期と前記総和との差である空き時間を前記複数の駆動停止期間に長さの重みに応じて割り振る
ことを特徴とする表示装置。
【００５１】
（付記１２）
フレームを輝度の重み付けをした複数のサブフレームに置き換え、サブフレーム単位でセルの発光の有無を設定することにより階調表示を行うＰＤＰの駆動方法であって、
表示負荷の設定範囲内の増減に応じてフレームの階調を減増するゲイン調整を行う
ことを特徴とするＰＤＰの駆動方法。
【００５２】
（付記１３）
表示負荷が設定値を超えるときのみ前記ゲイン調整を行い、かつ
表示負荷が前記設定値以下のときのみ、表示負荷の増減に応じて各サブフレーム期間の表示放電回数を減増する電力制御を行う
付記１２記載のＰＤＰの駆動方法。（８）
（付記１４）
フレームを輝度の重み付けをした複数のサブフレームに置き換え、サブフレーム単位でセルの発光の有無を制御することにより階調表示を実現するＰＤＰの駆動装置であって、
表示負荷の設定範囲内の増減に応じてフレームの階調を減増するゲイン調整を行う
ことを特徴とするＰＤＰの駆動装置。
【００５３】
（付記１５）
ＡＣ型ＰＤＰとそれを駆動する駆動装置とを備え、
前記駆動装置は、フレームを輝度の重み付けをした複数のサブフレームに置き換えて、サブフレーム単位でセルの発光の有無を制御することにより階調表示を実現し、表示負荷の設定範囲内の増減に応じてフレームの階調を減増するゲイン調整を行う
ことを特徴とする表示装置。
【００５４】
【発明の効果】
請求項１ないし請求項８の発明によれば、回路部品の耐電圧を増大することなく、動作環境の変化の影響が小さいアドレッシングを実現し、表示の安定を図ることができる。
【図面の簡単な説明】
【図１】サブフレームの表示パルス数と次のサブフレームにおける壁電圧変動量との関係を示すグラフである。
【図２】インターバル時間と壁電圧変動量との関係を示すグラフである。
【図３】第１実施形態の表示装置の構成図である。
【図４】本発明に係るＰＤＰのセル構造を示す図である。
【図５】自動電力制御の特性を示すグラフである。
【図６】第１実施形態に係る期間設定を示す図である。
【図７】インターバル時間の長さとその効果との関係を示すグラフである。
【図８】第２実施形態の表示装置の構成図である。
【図９】自動電力制御の特性を示すグラフである。
【図１０】ゲイン調整の特性を示すグラフである。
【図１１】第１実施形態に係る期間設定を示す図である。
【図１２】駆動シーケンスの概要を示す電圧波形図である。
【図１３】従来におけるアドレス期間のセル電圧の変化を示す波形図である。
【符号の説明】
１  ＰＤＰ
Ｄｆ  フレーム期間
Ｔ１〜Ｔ８  サブフレーム期間
Ｔ１’〜Ｔ８’  サブフレーム期間
Ｔｉ１〜Ｔｉ８  駆動停止期間
Ｔｉ２’、Ｔｉ７’  駆動停止期間
６０  ドライブユニット（駆動装置）
６０ｂ  ドライブユニット（駆動装置）
１００  表示装置
１００ｂ  表示装置
【図１】
0005077860.tif 000002
【図２】
0005077860.tif 000003
【図３】
0005077860.tif 000004
【図４】
0005077860.tif 000005
【図５】
0005077860.tif 000006
【図６】
0005077860.tif 000007
【図７】
0005077860.tif 000008
【図８】
0005077860.tif 000009
【図９】
0005077860.tif 000010
【図１０】
0005077860.tif 000011
【図１１】
0005077860.tif 000012
【図１２】
0005077860.tif 000013
【図１３】
0005077860.tif 000014